(57)【要約】  【課題】  高層建物等に設置される乾式間仕切り壁のスタッドを支持する方法を提供する。  【解決手段】  スタッドは、下端部を下部ランナー内に嵌め入れて建て付けた際に上端部が上部ランナーと接触しない高さとし、上端部を上部ランナーと連結するアタッチメントを有する。スタッドの下端部を下部ランナー内に嵌め入れ、上端部はアタッチメントを突出させて上部ランナーと連結する。スタッドの一側に下張りボードを配置し、スタッドのフランジへ固定した後に、スタッドのアタッチメントを上部ランナーから退去させてスタッドの上端部と上部ランナーとの連結状態を解消する。スタッドの他側に下張りボードを配置し、スタッドのフランジへ固定する。【選択図】  図１
2005336946.tif 000002
【特許請求の範囲】
【請求項１】
建物等に設置される乾式間仕切り壁のスタッドを建て付けて支持する方法であって、
スタッドは、下端部を下部ランナー内に嵌め入れて建て付けた際に上端部が上部ランナーと接触しない高さとし、その上端部を上部ランナーと連結するアタッチメントを有すること、
スタッドの下端部を下部ランナー内に嵌め入れ、同スタッドの上端部は前記アタッチメントを突出させて上部ランナーと連結し、スタッドを仮支持させること、
スタッドの一側に下張りボードを配置し、同下張りボードの上端部を上部ランナーのフランジへ滑り部材を介在させて当接させ、前記スタッドのフランジへ下張りボードをビスで固定した後に、スタッドの前記アタッチメントを上部ランナーから退去させて同スタッドの上端部と上部ランナーとの連結状態を解消すること、
スタッドの他側に下張りボードを配置し、同下張りボードの上端部を上部ランナーのフランジへ滑り部材を介在させて当接させ、前記スタッドのフランジへ下張りボードをビスで固定し、スタッドを両側の下張りボードで本設支持させることを特徴とする、乾式間仕切り壁のスタッドの支持方法。
【請求項２】
アタッチメントは、上部ランナーに対して取り付け・取り外し可能な構成としており、前記アタッチメントをスタッドの上端部に取り付けて同スタッドの上端部を上部ランナーと連結し、逆に前記アタッチメントを取り外してスタッドの上端部と上部ランナーとの連結状態を解消することを特徴とする、請求項１に記載した乾式間仕切り壁のスタッドの支持方法。
【請求項３】
アタッチメントは、上部ランナーに対して上下方向へ移動可能に、スタッドの上端部に設置しており、前記アタッチメントを上方へ移動させ上部ランナー内へ嵌め入れてスタッドの上端部を上部ランナーと連結し、逆に前記アタッチメントを下方へ移動させてスタッドの上端部と上部ランナーとの連結状態を解消することを特徴とする、請求項１に記載した乾式間仕切り壁のスタッドの支持方法。
【請求項４】
アタッチメントは、上部ランナーに対して回転可能にスタッドのフランジ外面に取り付けており、前記アタッチメントを回転させて起こし上部ランナーの両側のフランジを挟み込ませてスタッドの上端部を上部ランナーと連結し、逆に前記アタッチメントを回転させて倒しスタッドの上端部と上部ランナーとの連結状態を解消することを特徴とする、請求項１に記載した乾式間仕切り壁のスタッドの支持方法。
【発明の詳細な説明】
【技術分野】
【０００１】
この発明は、高層建物等に設置される乾式間仕切り壁のスタッドを支持する方法の技術分野に属し、更に云うと、アスペクト比が高い、所謂版状建物に設置される乾式間仕切り壁のスタッドを支持する方法に関する。
【背景技術】
【０００２】
高層建物は、施工の容易性、工期の短縮化を図るべく乾式工法で施工されるケースが多い。乾式工法は、鉄骨柱と鉄骨梁、及び床スラブなどを組み立てて躯体を施工し、各階層に間仕切り壁を設置して区画を形成するもので、一般的に柔構造であることが知られている。アスペクト比が高い、所謂版状建物の場合は、面外方向に向かって吹く風の影響を受け易く、層間で比較的大きな相対変位を生じやすい。これに対して、間仕切り壁を支持するべく、同間仕切り壁の端部やコーナー部、或いは開口部に設置されるスタッドは、その上下端部が上下のランナー内に嵌め入れられた構造であるため、上記のように層間で相対変位が生じると、スタッドとランナーとが擦れ合い擦過音（軋み音）が生じる。この擦過音は極めて小さい音圧であるが、静寂な病院の病室やホテルの客室等では時として耳障りとなり、環境の悪化を招いていた。
【０００３】
そこで、種々の対策技術が開発されており、例えば、スタッドの上下端部を滑り部材を介在させて上下のランナー内に嵌め入れることで、摩擦力を軽減して部材同士の擦過音の発生を軽減する技術（特許文献１、２）等が開示されている。
【特許文献１】特許第３２６８７２８号公報
【特許文献２】特公平７−４２７４８号公報
【発明の開示】
【発明が解決しようとする課題】
【０００４】
上記特許文献１、２の対策技術は、スタッドの上下端部を滑り部材を介在させて上下のランナー内に嵌め入れているので、スタッドとランナーとの擦過音の発生を軽減できることは認められる。しかし、擦過音の発生を軽減できるように、スタッドの上下端部は比較的ルーズに上下のランナー内に嵌め入れられるので、下張りボードをスタッドにビスで固定しようとしても、同スタッドがビスに押されて逃げてしまい、固定が困難である。そのため、下張りボードを固定するには、その上下端部を上下のランナーへ固定するしかなく、下張りボードとランナーとの間で擦過音が発生してしまう問題点を有する。
【０００５】
本発明の目的は、スタッドの下端部を下部ランナー内に嵌め入れ、同スタッドの上端部はアタッチメントを突出させて上部ランナーと連結して、スタッドを仮支持させ、その一側に下張りボードを固定した後に、前記スタッドのアタッチメントを上部ランナーから退去させて同スタッドの上端部と上部ランナーとの連結状態を解消し、更にスタッドの他側に下張りボードを固定することで、スタッドの上端部と上部ランナーとを離間させた状態（非接触の状態）で前記スタッドを本設支持させ、部材同士の擦過音が発生することは殆どなく、したがって擦過音が静寂な病院の病室やホテルの客室等で耳障りとならない程度まで確実に軽減できる、乾式間仕切り壁のスタッドの支持方法を提供することである。
【課題を解決するための手段】
【０００６】
上記従来技術の課題を解決するための手段として、請求項１に記載した発明に係る乾式間仕切り壁のスタッドの支持方法は、
建物等に設置される乾式間仕切り壁のスタッドを建て付けて支持する方法であって、
スタッドは、下端部を下部ランナー内に嵌め入れて建て付けた際に上端部が上部ランナーと接触しない高さとし、その上端部を上部ランナーと連結するアタッチメントを有すること、
スタッドの下端部を下部ランナー内に嵌め入れ、同スタッドの上端部は前記アタッチメントを突出させて上部ランナーと連結し、スタッドを仮支持させること、
スタッドの一側に下張りボードを配置し、同下張りボードの上端部を上部ランナーのフランジへ滑り部材を介在させて当接させ、前記スタッドのフランジへ下張りボードをビスで固定した後に、スタッドの前記アタッチメントを上部ランナーから退去させて同スタッドの上端部と上部ランナーとの連結状態を解消すること、
スタッドの他側に下張りボードを配置し、同下張りボードの上端部を上部ランナーのフランジへ滑り部材を介在させて当接させ、前記スタッドのフランジへ下張りボードをビスで固定し、スタッドを両側の下張りボードで本設支持させることを特徴とする。
【０００７】
請求項２記載の発明は、請求項１に記載した乾式間仕切り壁のスタッドの支持方法において、
アタッチメントは、上部ランナーに対して取り付け・取り外し可能な構成としており、前記アタッチメントをスタッドの上端部に取り付けて同スタッドの上端部を上部ランナーと連結し、逆に前記アタッチメントを取り外してスタッドの上端部と上部ランナーとの連結状態を解消することを特徴とする。
【０００８】
請求項３記載の発明は、請求項１に記載した乾式間仕切り壁のスタッドの支持方法において、
アタッチメントは、上部ランナーに対して上下方向へ移動可能に、スタッドの上端部に設置しており、前記アタッチメントを上方へ移動させ上部ランナー内へ嵌め入れてスタッドの上端部を上部ランナーと連結し、逆に前記アタッチメントを下方へ移動させてスタッドの上端部と上部ランナーとの連結状態を解消することを特徴とする。
【０００９】
請求項４記載の発明は、請求項１に記載した乾式間仕切り壁のスタッドの支持方法において
アタッチメントは、上部ランナーに対して回転可能にスタッドのフランジ外面に取り付けており、前記アタッチメントを回転させて起こし上部ランナーの両側のフランジを挟み込ませてスタッドの上端部を上部ランナーと連結し、逆に前記アタッチメントを回転させて倒しスタッドの上端部と上部ランナーとの連結状態を解消することを特徴とする。
【発明の効果】
【００１０】
本発明に係る乾式間仕切り壁のスタッドの支持方法は、スタッドの上端部を上部ランナーと離間させた状態（非接触の状態）で前記スタッドを本設支持させるので、部材同士の擦過音が発生することは殆どなく、したがって擦過音が静寂な病院の病室やホテルの客室等で耳障りとならない程度まで確実に軽減できる。しかも、簡単な構造でスタッドの上端部と上部ランナーとを離間させることができるので、施工が簡単でコストが嵩まない。
【発明を実施するための最良の形態】
【００１１】
スタッドは、下端部を下部ランナー内に嵌め入れて建て付けた際に上端部が上部ランナーと接触しない高さとし、その上端部を上部ランナーと連結するアタッチメントを有する。スタッドの下端部を下部ランナー内に嵌め入れ、同スタッドの上端部は前記アタッチメントを突出させて上部ランナーと連結し、スタッドを仮支持させる。スタッドの一側に下張りボードを配置し、同下張りボードの上端部を上部ランナーのフランジへ滑り部材を介在させて当接させ、前記スタッドのフランジへ下張りボードをビスで固定した後に、スタッドの前記アタッチメントを上部ランナーから退去させて同スタッドの上端部と上部ランナーとの連結状態を解消する。スタッドの他側に下張りボードを配置し、同下張りボードの上端部を上部ランナーのフランジへ滑り部材を介在させて当接させ、前記スタッドのフランジへ下張りボードをビスで固定し、スタッドを両側の下張りボードで本設支持させる。
【実施例１】
【００１２】
請求項１〜請求項３に記載した発明に係る乾式間仕切り壁のスタッドの支持方法（以下、単に支持方法と云う場合がある。）の実施例を、図１〜図４に基づいて説明する。本発明の支持方法は、アスペクト比が高い、所謂版状建物に乾式間仕切り壁を設置する際に建て付けられるスタッドの支持方法として好適に実施される。ちなみに、本実施例のスタッドは、図１及び図３に示すように間仕切り壁の端部に配置される。
【００１３】
先ず、図２に示すように、上階床１の下面及び下階床２の上面に、相対峙する配置で上下のランナー３、４をビス５で取り付ける。前記ランナー３（４）は、通例のランナーと同じくウエブ３ａ（４ａ）の両側から立ち上がるフランジ３ｂ（４ｂ）を有する断面コの字形状の軽量溝形鋼で構成している。
【００１４】
本発明で使用するスタッド６は、通例のスタッドと同じくウエブ６ａの両側から立ち上がるフランジ６ｂを有する断面コの字形状の軽量溝形鋼で構成しているが（図４を参照）、下端部を下部ランナー４内に嵌め入れて建て付けた際に上端部が上部ランナー３と接触しない高さとし、その上端部を上部ランナー３と連結するアタッチメント７を有する（図２及び図３を参照）。
【００１５】
前記アタッチメント７は、図２〜図４に示すように、上部ランナー３に対して上下方向へ移動可能に、スタッド６内に嵌め入れて設置しており（請求項３記載の発明）、スタッド６の内周と略等しい外周を有する鋼製（但し、樹脂製、木製でも良く、材質は特に限定されない。）の柱状部材である。そして、前記アタッチメント７は、後に前記スタッド６へ下張りボード８をビス９で固定する際に、スタッド６が前記ビス９に押されて逃げないように、しっかりとスタッド６の上端部を上部ランナー３と連結して拘束できる高さと剛性を有する。
【００１６】
予め設定された間仕切り壁の端部位置において、前記スタッド６の下端部を下部ランナー４内に嵌め入れ、上端部は上記アタッチメント７を上方へ移動させて突出させ上部ランナー３内に嵌め入れる。その結果、前記スタッド６は仮支持される。
【００１７】
上部ランナー３の一側のフランジ３ｂの外面に、テフロン（登録商標）テープ等の滑り部材１０を貼り付けて、下張りボード８を上記スタッド６の一側に配置し、上端部を上部ランナー３のフランジ３ｂへ滑り部材１０を介在させて当接させ、側端部をスタッド６のフランジ６ｂへビス９で固定する（図１及び図２を参照）。ちなみに、前記下張りボード８は、通例の下張りボードと同じく石膏ボード、石膏板などの建材ボードで構成している。
【００１８】
スタッド６のアタッチメント７を下方へ移動させて退去させ、上部ランナー３との連結状態を解消する。このとき、スタッド６の下端部は下部ランナー４内に嵌め込まれているので、同スタッド６及び下張りボード８が倒れることはない。
【００１９】
上部ランナー３の他側のフランジ３ｂの外面にも、同じく滑り部材１０を貼り付けて、既に固定した上記下張りボード８との間に吸音材や断熱材（図示を省略）を挟み込むように、もう一方の下張りボード８を上記スタッド６の他側に配置し、上端部を上部ランナー３のフランジ３ｂへ滑り部材１０を介在させて当接させ、側端部をスタッド６のフランジ６ｂへビス９で固定する。その結果、スタッド６は両側にビス固定された下張りボード８と８に挟み込まれて、しっかりと本設支持される。
【００２０】
上記のように支持させたスタッド６は、上端部を上部ランナー３と離間させた状態（非接触の状態）で支持されるので、部材同士の擦過音が発生することは殆どなく、したがって擦過音が静寂な病院の病室やホテルの客室等で耳障りとならない程度まで確実に軽減できる。しかも、簡単な構造でスタッド６の上端部と上部ランナー３とを離間させることができるので、施工が簡単でコストが嵩まない。
【００２１】
なお、通例の間仕切り壁の施工では、上記下張りボード８の上端部及び下端部も固定するが、このとき、下張りボード８の下端部は通例と同じくビス９で固定し、上端部は、図１及び図５に示すように相対峙する下張りボード８、８を上部ランナー３のフランジ３ｂの下方位置で挟み込み金具１１で連結して固定すると良い。
【００２２】
前記挟み込み金具１１は、図６に示すように、一方の端部に端部プレート１２を設けたタイロッド１３と、他端のネジ部１３ａに端部プレートとしてネジ込まれるナットプレート１４とで構成している。このタイロッド１３は、端部プレート１２の内面に滑り部材１５を貼り付けてから、上述したように上端部を上部ランナー３のフランジ３ｂへ滑り部材１０を介在させて当接させた、相対峙する下張りボード８、８に通し、突き出たネジ部１３ａに同じく内面に滑り部材１５を貼り付けたナットプレート１４をネジ込んで連結し固定している。つまり、下張りボード８の上端部を上部ランナー３に対し、滑り部材１０を介して滑動可能としたので、部材同士の擦過音が静寂な病院の病室やホテルの客室等で耳障りとならない程度まで軽減できる。そのため、上記スタッド６の支持方法との組み合わせにより、擦過音が殆ど発生しない間仕切り壁を実現することができる。
【００２３】
ちなみに、前記下張りボード８に上張りボード１６を貼り付けた際に、上張りボード１６と、タイロッド１３の端部プレート１２又はタイロッド１３にネジ込んだナットプレート１４とが接触するが、同上張りボード１６は予め前記接触部分をくり抜いておき、同くり抜いた部分に前記上張りボード１６と面一となるように厚さが調整された新たな上張りボードブロック１７を嵌め込んで一体化すると、段差の無い仕上げ面を形成することができる（図５を参照）。なお、当該部分が天井裏に隠れる場合には、表面に段差が生じていても特に支障はないので、上張りボードブロック１７に厚さ調整を行うことなく嵌め込んで良い。
【００２４】
本実施例のスタッド６は間仕切り壁の端部に配置したが、中間部に配置しても良い。
【００２５】
本実施例のアタッチメント７は下方へ移動させて、上部ランナー３との連結状態を解消したが、上方から抜き取って退去させても良い（請求項２記載の発明）。
【実施例２】
【００２６】
上記実施例１のアタッチメント７は、スタッド６の内周と略等しい外周を有する柱状部材で構成したが、この構成に限らない。
【００２７】
図７及び図８に示すアタッチメント１８は、スタッド６の両フランジ６ｂと６ｂとの開口部を連結するように取り付けられる補強用スペーサー１９に板状拘束部材２０を接合した構成とし、スタッド６の上端部に取り付けて設置している。
【００２８】
スタッド６の上端部を上部ランナー３と連結するには、補強用スペーサー１９を上方へ移動させて板状拘束部材２０を突出させ上部ランナー３内に嵌め入れる。逆にスタッド６の上端部と上部ランナー３との連結状態を解消するには、アタッチメント１８の補強用スペーサー１９を下方へ移動させて板状拘束部材２０を上部ランナー３から引き抜く。
【００２９】
なお、アタッチメント１８を一旦取り外して退去させ、板状拘束部材２０が上部ランナー３と接触しない下方位置に、再度、取り付けて設置しても良い（請求項２記載の発明）。
【実施例３】
【００３０】
図９及び図１０に示すアタッチメント２１は、スタッド６のフランジ６ｂ外面にビスで回転可能に取り付けた板状部材で構成している（請求項４記載の発明）。
【００３１】
スタッド６の上端部を上部ランナー３と連結するには、アタッチメント２１、２１をそれぞれ回転させて起こし（突出させ）、上部ランナー３の両側のフランジ３ｂ、３ｂを挟み込む。逆にスタッド６の上端部と上部ランナー３との連結状態を解消するには、アタッチメント２１を回転させて倒す。
【００３２】
なお、アタッチメント２１はビスを緩めて取り外して退去させても良い（請求項２記載の発明）。
【実施例４】
【００３３】
アタッチメントの構成は上記実施例１〜３の限りでなく、要するに一時的にスタッド６と上部ランナー３とを連結でき、更にその連結状態を解消できる構成であれば良い。
【実施例５】
【００３４】
上記実施例１の挟み込み金具１１は、端部プレート１２付きのタイロッド１３と、ナットプレート１４とで構成しているが、この限りでない。図１１に示すように、タイロッド２２と、その両端のネジ部２２ａ、２２ａへ端部プレートとしてネジ込まれる２枚のナットプレート２３、２３とで構成しても良い。
【００３５】
また、図１２に示しように、２個の端部プレート２４（２４’）付きタイロッド２５（２５’）で構成しても良い。一方のタイロッド２５の先端に雄ネジ部２５ａを形成し、他方のタイロッド２５’の先端に雌ネジ部２５ａ’を形成しており、前記雄ネジ部２５ａを雌ネジ部２５ａ’にネジ込んで連結する。
【図面の簡単な説明】
【００３６】
【図１】本発明に係る乾式間仕切り壁のスタッドの支持方法の実施例を概念的に示した斜視図である。
【図２】乾式間仕切り壁のスタッド位置での縦断面図である。
【図３】スタッドのアタッチメントを突出させ上部ランナーと連結した状態を示した正面図である。
【図４】図３のアタッチメントを拡大して示した斜視図である。
【図５】乾式間仕切り壁の下張りボード相互を連結する挟み込み金具位置での縦断面図である。
【図６】図５の挟み込み金具を拡大して示した縦断面図である。
【図７】異なるスタッドのアタッチメントを突出させ上部ランナーと連結した状態を示した正面図である。
【図８】図７のアタッチメントを拡大して示した斜視図である。
【図９】更に異なるスタッドのアタッチメントを突出させ上部ランナーと連結した状態を示した正面図である。
【図１０】図９のアタッチメントを拡大して示した斜視図である。
【図１１】異なる挟み込み金具を示した縦断面図である。
【図１２】更に異なる挟み込み金具を示した縦断面図である。
【符号の説明】
【００３７】
１              上階床
２              下階床
３              上部ランナー
４              下部ランナー
３ａ、４ａ      ウエブ
３ｂ、４ｂ      フランジ
６              スタッド
８              下張りボード
７、１８、２１  アタッチメント
１０            滑り部材
【図１】
2005336946.tif 000003
【図２】
2005336946.tif 000004
【図３】
2005336946.tif 000005
【図４】
2005336946.tif 000006
【図５】
2005336946.tif 000007
【図６】
2005336946.tif 000008
【図７】
2005336946.tif 000009
【図８】
2005336946.tif 000010
【図９】
2005336946.tif 000011
【図１０】
2005336946.tif 000012
【図１１】
2005336946.tif 000013
【図１２】
2005336946.tif 000014